(57)【特許請求の範囲】
【請求項１】
机、テーブルの天板の端部近傍、または壁面であって、台車が追突する可能性のある高さ又は床面から天井近傍の所用位置、または梁、柱の角部である被装着体に貼設したことで人又は台車、自動車の接触や衝突を緩衝する、長手方向に連続する衝突緩衝ガード体に於いて、接触や衝突を受ける表面側を透明の緩衝部とし、その背面側で被装着体に粘着させて貼設する、粘着部材を設ける装着部とすると共に該緩衝部と装着部との間に中空の緩衝収納部を有する略平板状に形成した衝突緩衝ガード体であって、該緩衝収納部の装着部側から緩衝支持突起部を突設すると共にその緩衝支持突起部の先端と、表面側の緩衝部との間に所定の隙間を形成し、該所定隙間で注意喚起文字または飾りを表示する表示体を支持する支持収納部を中空の緩衝収納部に設けたことを特徴とする表示体を内設可能とした衝突緩衝ガード。
【請求項２】
衝突緩衝ガード体の装着部が、屈曲可能なように、該装着部の長手方向に、複数箇所Ｖ字状に切り欠いた屈曲切欠部を該装着部に形成し、または該装着部を屈曲可能な軟質の薄板状とした請求項１記載の表示体を内設可能とした衝突緩衝ガード。
【請求項３】
衝突緩衝ガード体が、机、テーブルの天板端部、梁、柱、壁の被装着体の角部に貼設できるように、該衝突緩衝ガード体横断端面を略Ｌ字形状に形成して、その表面側に緩衝部と、その背面側に粘着部材を設けた装着部とした請求項１記載の表示体を内設可能とした衝突緩衝ガード。
【請求項４】
衝突緩衝ガード体が、自動ドア、テーブルの板状体の端部に狭持して装着できるように、横断端面が略コの字形状で、その表面側を緩衝部とすると共に内面側に粘着部材を設けた装着部とした請求項１記載の表示体を内設可能とした衝突緩衝ガード。
【請求項５】
衝突緩衝ガード体が、横断端面が横向きの略Ｔ字形状に形成し、装着部に対して緩衝部を略直角乃至若干傾斜した状態に形成すると共に該装着部の少なくとも一方面に粘着部を設け、または装着部を、横断端面が略コの字形状に形成すると共にその内面側に粘着部材を設けた装着部とした請求項１記載の表示体を内設可能とした衝突緩衝ガード。
【請求項６】
表示体が、複数のＬＥＤとその駆動及び制御回路を有する発光装置又は／及び受けた光により反射発光する光反射板により注意喚起文字または飾りを発光、点滅の動き又は反射光を付加して表示させる発光表示体又は、該発光表示体にスピーカーとその駆動及び制御回路を有する音声発生装置を付加した請求項１乃至請求項５のいずれか一項記載の表示体を内設可能とした衝突緩衝ガード。
【請求項７】
衝突緩衝ガード体が、緩衝収納部に略対応した形状の中空の連結部材を介して、隣接する衝突緩衝ガード体同士を嵌合連結するとした請求項１乃至請求項６のいずれか一項記載の表示体を内設可能とした衝突緩衝ガード。
【発明の詳細な説明】
【技術分野】
【０００１】  本発明は、接触や衝突を緩衝する衝突緩衝ガードに、その衝突などの予防目的の注意喚起文字又は飾りを表示する表示体を内設可能とした衝突緩衝ガードに関する。【０００２】  なお、本願で言う衝突緩衝ガード体とは、机、テーブル、柱、壁などと建築現場等の梁の角部に貼設する横断端面が略Ｌ字形状のもの、
または壁面などの平面部に貼着する略平板状のもの、
または机、テーブル等板状部の端部に狭持状に貼設する横断端面が略コの字形状のもの、
または建築現場等の梁などのＨ鋼の板状端部に貼設する横断端面が略Ｔ字形状のもの、
または柱、壁面、ポールから大径の円柱の角部及び曲面に沿って変形させて貼設する変形可能な略長板状のものを、その対象物の被装着体に貼設して人又は自動車の接触や衝突を緩衝するものである。
【背景技術】
【０００３】  従来、不注意により頭などの打撲による怪我防止用として、テーブル、柱、壁、建築現場等の梁などに貼設して使用するコーナーガードが知られている。【０００４】  そのコーナーガードは、端面が略Ｌ字形状または略コの字状で、その貼設する角部または板状端部に狭持状に貼設するものが一般的に多く使用されている。【０００５】  そして、その角部に使用する略Ｌ字形状のものと、板の端部に貼設して使用する略コの字形状のコーナーガードの表面には、それぞれ注意色としての黄色、又は黄色と黒の縞模様を付したものが多く見られ、それは注意を喚起する目的で使用されている。【０００６】  而して、先行技術として、駐車場の柱や壁などの角部に装着され、自動車の接触や衝突を緩衝するコーナーガードを、その角部に接着される可撓性永久磁石薄板と、この磁石薄板に吸着可能な金属製コーナー板と、このコーナー板の表面に取り付けられた弾力性を有するコーナーダンパー部材とから構成したものと、
コーナー板の両側部を、断面で外向きに屈曲させるとともに、コーナーダンパー部材の両側部を、コーナー板の屈曲した両側部に嵌合可能に形成し、コーナー板に対しコーナーダンパー部材を着脱可能に設けるとした実施例が開示される「駐車場用コーナーガード」がある。（例えば、特許文献１参照）
【先行技術文献】
【特許文献】
【０００７】
【特許文献１】実開平５−６９２６０号公報
【発明の概要】
【発明が解決しようとする課題】
【０００８】  従来、一般的に使用されるコーナーガードは、机、テーブル、柱、壁、屋外での使用の建築現場等の梁のそれぞれ角部に装着して、人又は自動車の接触や衝突を緩衝させるもので、そのときの注意喚起の表現としては、コーナーガード自体に注意色としての黄色、又は黄色と黒の縞模様を付した色彩によるもので、課題としては、適切な注意喚起のメッセージの表現又は注意喚起するものが無く、接触や衝突に対して注意喚起をする機能が不十分であり、また従来の色彩のものを室内で使用するには、デザイン性に欠けると言う課題もあった。【０００９】  そこで、その一般的に使用されるコーナーガードは、設置場所に応じて適切な表現で積極的に注意喚起するものはなく、よって衝突等に対する予防目的の注意喚起機能が不十分であり、その課題を解決することが求められ、またその注意喚起する表現を適宜容易に変更できるものも求められていた。【００１０】  また、従来のコーナーガードは、そのガード機能に加え使用場所における課題として、直接的な注意喚起の頭上注意、指詰め注意など表現する機能に加え、デザイン性の課題として、幼稚園などの情操教育などに対応して教育に寄与できるデザイン、または公共の場の避難誘導表現などに対応した注意喚起に寄与できるデザイン、または一般家庭で使用する場合のインテリアの一つとしてのデザインを付与できるものが無く、よって、衝突緩衝機能に加え、注意喚起主体のメッセージ性とデザイン主体の表現性の機能を、それぞれ容易に取り替え付加できるものが求められていた。【００１１】  さらに、障害者等に対する注意喚起の観点から、避難誘導などの文字又は図形などの点滅等動き、薄明かりまたは暗がり、目の不自由な人、特に、見えてはいるが視力が弱っているような人でも見えるように注意喚起して安全性を確保ができるものが求められ、よってそれらの課題を解決すると共にその装置を簡易に衝突緩衝ガードに取り替え付加できる光表示する装置が求められていた。【００１２】  そして、衝突緩衝ガードに注意喚起装置を簡易に付加して、その注意喚起装置のデザインを汎用性に富んだデザインに容易に変更できるものと、また幼稚園等の柱、ドア、扉などにパンダなどキャラクターでそのクラス別を表示させてその利便性を図ると共にそのデザイン表示で情操教育に対応させ、そのデザイン等変更に要するコストの改善を両立するものが求められていた。【００１３】  而して、先行技術である特許文献１の「駐車場用コーナーガード」は、駐車場の柱や壁などの角部に自動車の接触や衝突を緩衝するもので、コーナー板の表面に取り付けられた弾力性を有するコーナーダンパー部材に設けられた可撓性永久磁石薄板が、その角部に設けられた金属製コーナー板にその磁石薄板が吸着することで、
自動車がコーナーガードに接触した場合は、自動車の接触方向にコーナーガードがずれて移動したり、あるいは永久磁石薄板からコーナーガードが外れて落下したりすることで自動車のボディーなどへの損傷を軽減させるものである。【００１４】  そして、特許文献１には、コーナー板３に装着した状態でコーナー板３との間に空間５が設けられているが、この空間５は、接触や衝突時にダンパー部材４が空間５側に変形して、衝撃を有効に吸収できるようにするための機能が記載され、この空間５が他の機能に置き換えられる事は無く、もっぱら接触や衝突時の軽減が目的の駐車場の柱や壁に自動車の接触や衝突に対するコーナーガードであり、このことから予防目的の機能を有するものでなく、また注意喚起機能及びデザイン性、また他の設置場所に設けるなどの汎用性も無く、多くの課題が存在した。【００１５】  そこで上述各課題を解決するために本発明の目的とするところは、従来のコーナーガードが、接触や衝突を緩衝することによって怪我又は車などの破損の軽減を目的とし、また接触や衝突が起きないように予防目的の効果も求められることから、本発明は、衝突に対する注意喚起を明確に表示させることで、その予防目的の機能を持たせる提案で、その注意喚起表現をそれぞれ装着場所に応じて適宜、容易に変更すると共にその装着場所に応じて衝突緩衝ガードの形状も変更して、衝突緩衝機能に加え、注意喚起主体及び誘導案内板としてのメッセージ性と、デザイン主体の表現性の機能により、接触や衝突の注意喚起をする予防目的の機能と、誘導案内のメッセージを付加すると共にデザイン性の改善も容易に可能とし、コストの改善も図れるその表示体を内設可能にした衝突緩衝ガードを提供することにある。
【課題を解決するための手段】
【００１６】  本発明は、上記課題を達成するために第１の解決手段として、机、テーブルの天板の端部近傍、または壁面であって、台車が追突する可能性のある高さ又は床面から天井近傍の所用位置、または梁、柱の角部である被装着体に貼設したことで人又は台車、自動車の接触や衝突を緩衝する、長手方向に連続する衝突緩衝ガード体に於いて、接触や衝突を受ける表面側を透明の緩衝部とし、その背面側で被装着体に粘着させて貼設する、粘着部材を設ける装着部とすると共に該緩衝部と装着部との間に中空の緩衝収納部を有する略平板状に形成した衝突緩衝ガード体であって、該緩衝収納部の装着部側から緩衝支持突起部を突設すると共にその緩衝支持突起部の先端と、表面側の緩衝部との間に所定の隙間を形成し、該所定隙間で注意喚起文字または飾りを表示する表示体を支持する支持収納部を中空の緩衝収納部に設けたことにより、
テーブルなど天板、柱、壁など被装着体に、装着部の粘着部材を介して貼設した衝突緩衝ガード体の緩衝部と中空の緩衝収納部で、人又は自動車の接触や衝突を緩衝させることと、接触や衝突が起きないよう予防目的の注意喚起を即す注意喚起文字または飾りの表示体を中空の緩衝収納部に内設して透明の緩衝部を介して表示させ、またその表示体を簡易に取り替え付加することと、該緩衝支持突起部の先端部で表示体を支持することで、透明の緩衝部近傍で鮮明に表示させるとしている。【００１７】  また、第２の解決手段として、衝突緩衝ガード体の装着部が、屈曲可能なように、該装着部の長手方向に、複数箇所Ｖ字状に切り欠いた屈曲切欠部を該装着部に形成し、または該装着部を屈曲可能な軟質の薄板状としたことにより、
机、テーブルなどの天板、梁又は柱、壁などの被装着体の角部又は曲面のそれぞれの形状に対応して変形させ、その曲面又は角部に沿って貼設するとしている。【００１８】  また、第３の解決手段として、衝突緩衝ガード体が、机、テーブルの天板端部、梁、柱、壁の被装着体の角部に貼設できるように、該衝突緩衝ガード体横断端面を略Ｌ字形状に形成して、その表面側に緩衝部と、その背面側に粘着部材を設けた装着部としたことにより、
テーブルなど天板、柱、壁、梁など被装着体の角部に、該衝突緩衝ガード体の装着部の粘着部を介して貼設するとしている。【００１９】  また、第４の解決手段として、衝突緩衝ガード体が、自動ドア、テーブルの板状体の端部に狭持して装着できるように、横断端面が略コの字形状で、その表面側を緩衝部とすると共に内面側に粘着部材を設けた装着部としたことにより、
被装着体の自動ドア、テーブルなど天板、アングル又はＨ鋼の板状端部に、該衝突緩衝ガード体を略コの字形状の装着部の粘着部材を介して貼設するとしている。【００２０】  また、第５の解決手段として、衝突緩衝ガード体が、横断端面が横向きの略Ｔ字形状に形成し、装着部に対して緩衝部を略直角乃至若干傾斜した状態に形成すると共に該装着部の少なくとも一方面に粘着部を設け、または装着部を横断端面が略コの字形状に形成すると共にその内面側に粘着部材を設けた装着部としたことにより、
梁などのＨ鋼の被装着体に貼設したとき、透明の緩衝部を介して注意喚起文字または飾りを表示する表示体が正面となるように透明の該緩衝部を配置するとしている。【００２１】  また、第６の解決手段として、表示体が、複数のＬＥＤとその駆動及び制御回路を有する発光装置又は／及び受けた光により反射発光する光反射板により注意喚起文字または飾りを発光、点滅の動き又は反射光を付加して表示させる発光表示体又は、該発光表示体にスピーカーとその駆動及び制御回路を有する音声発生装置を付加したとしている。【００２２】  また、第７の解決手段として、衝突緩衝ガード体が、緩衝収納部に略対応した形状の中空の連結部材を介して、隣接する衝突緩衝ガード体同士を嵌合連結するとしたことにより、
隣接する衝突緩衝ガード体同士をそれぞれの緩衝収納部に連結部材を介して嵌合連結させて一直線上となるように連結するとしている。
【発明の効果】
【００２３】  本発明は、上述したそれぞれの手段によって有効な効果を得ようとするもので、特に、第１の解決手段の透明の緩衝部と、中空の緩衝収納部を設け、その中空に表示体を内設するその効果は、
テーブルなど天板、柱、壁など被装着体に装着した衝突緩衝ガード体の緩衝部と中空の緩衝収納部で、人又は自動車の接触や衝突の衝撃を緩衝することで、人が不注意での接触や衝突の衝撃に対する怪我の抑制と、自動車の接触や衝突による損傷を最小限に止める効果に加え、注意喚起文字を表示する表示体を、中空の緩衝収納部に内設したことにより、予防目的の注意喚起を即す注意喚起文字を透明の緩衝部を介して表示させて接触や衝突が起きないように注意を促すことで、衝突に至る抑制が図れる効果と、さらに幼稚園等の柱、ドア、扉などにパンダなどキャラクターでそのクラス別のキャラクターを表示させることでその利便性を図ると共に各種キャラクターによるデザイン表示で情操教育に対応させ、注意喚起のメッセージと、デザイン性の機能を容易に取り替え変更でき、そのデザイン等変更に要するコストの改善を両立できる衝突緩衝ガードが得られる。【００２４】  また、該衝突緩衝ガード体を略平板状に形成したことで、装着部の粘着部材を介して壁面などの被装着体の平面部に貼設でき、そのことで衝突緩衝ガードに加え、注意喚起文字、案内文字又は矢印など方向を示すデザインの案内表示板を駅の柱、通路壁などの壁面に表示させて、案内表示板及びその注意喚起の表示板とする各種表示機能を簡易に取り替え付加できる。【００２５】さらに、緩衝支持突起部により形成される所定隙間の支持収納部に表示体を内設するその効果は、
該緩衝支持突起部を設けたことで、該緩衝支持突起部の変形で、人又は自動車のより大きな接触や衝突に対応してより多く緩衝して人に対する怪我の抑制と、自動車の接触や衝突による損傷を最小限に止め、合わせて、該緩衝支持突起部の先端部で表示体を支持することで透明の緩衝部近傍でより鮮明な表示で注意喚起を促し、さらに注意喚起文字に変えて飾りなどデザインの表示をより鮮明にすることができ、上述した衝突緩衝機能、怪我の抑制機能に加え、注意喚起機能、装飾機能をより効果的に付与できる衝突緩衝ガードが得られる。【００２６】  而して、第２の解決手段の衝突緩衝ガード体の装着部を、複数箇所の屈曲切欠部又は屈曲可能な軟質の薄板状の厚さに形成するその効果は、
衝突緩衝ガード体を被装着体のそれぞれの形状に対応して変形させて貼設できるので、机、テーブルの天板、梁、柱、壁、多角柱の角部及びポール、円柱の曲面に対応してあらゆる形状の被装着体に使用できると共に上述した衝突緩衝機能、怪我の抑制機能、注意喚起機能、装飾機能も得ることができる。【００２７】  而して、第３の解決手段の衝突緩衝ガード体を端面が略Ｌ字形状に形成したことによるその効果は、
テーブルなど天板、柱、壁、梁など被装着体の角部の形状に対応して貼設できるので、容易に脱落せずに安定して装着でき、そして衝突緩衝ガード体に接触や衝突が起きないよう予防目的の注意喚起を即す注意喚起文字を表示できるので、特に衝突すると危険度の高い、その角部の衝突による怪我の抑制が図れる。【００２８】  而して、第４の解決手段の衝突緩衝ガード体を端面が略コの字形状に形成したことによるその効果は、
扉、自動ドアの指詰め軽減と、机、テーブル及び建築工事現場の梁などに使用されるＨ鋼の頭部などの接触や衝突の軽減と怪我防止に、それら各板状端部に衝突緩衝ガード体を狭持するように貼設すると共にその怪我防止に加え、注意喚起文字を付した表示体により怪我防止と予防目的の注意喚起ができ、またその注意喚起文字及びデザイン等を容易に変更することができる。【００２９】  而して、第５の解決手段の衝突緩衝ガード体を端面が緩衝部を略直角乃至傾斜した状態の略Ｔ字形状に形成したことによるその効果は、
建築工事現場の梁などは、対面する頭上の目線より上にあり、その状況でヘルメットを被って、その梁を通過するときヘルメットのツバにより梁が見えにくくなっており、特に、頭部などの接触や衝突が多いことから、建築工事現場の梁などに使用されるアングル又はＨ鋼など板状部の端部に衝突緩衝ガード体を貼設することで、略Ｔ字形状の緩衝部が略直角乃至傾斜した状態で正面に配置されて注意喚起の表示体が比較的見やすくなり、よってその注意喚起文字を付した表示体により予防目的の注意喚起ができると共にその緩衝部により頭部などの接触や衝突時の軽減が図れ、それによる怪我防止ができる。【００３０】  而して、第６の解決手段の表示体をＬＥＤの発光表示体としたことによるその効果は、
表示体の注意喚起文字またはデザインされた飾りを、発光表示体で発光表示することで、地下通路など公共施設に設置する通路案内板、避難誘導案内板などの案内文字又は図形などをより注意喚起又は案内表示として表示機能が高められ、また点滅等の動きを付加してより表示機能を高めて表示もでき、さらに特に地下駐車場などにおける薄明かりにあっては、車のライトの光で光反射板により反射発光させて、上述した衝突緩衝機能、怪我の抑制機能、注意喚起機能、装飾機能に加え、それぞれ簡易に発光表示する機能を付加できる衝突緩衝ガードが得られる。【００３１】  また、表示体をＬＥＤの発光表示体とすることで、視力が弱っている老人及び目の不自由な人で、特に、見えてはいるが視力が弱っているような人でも見えやすく注意喚起して、より安全性を確保し、さらにスピーカーとその駆動及び制御回路を有する音声発生装置をその発光表示体に合わせて附設すれば音声案内及び音楽等も流して使用でき、それらの機能を容易に付加できる衝突緩衝ガードが得られる。【００３２】  而して、第７の解決手段の隣接する衝突緩衝ガード体を、中空の連結部材を介して嵌合連結できることによるその効果は、
隣接する衝突緩衝ガード体同士を一直線上に容易に安定して嵌合連結でき、その延長することで地下通路などの長い壁面に、行き先案内表示及びその行き先別ラインなどで表示でき、その連結使用するとき、必要に応じてその使用位置の高さを設定して、例えば、通路を通行する台車により壁面にキズが付かないように、台車が壁面に衝突する可能性のある高さに設定することで注意喚起と行き先方面の誘導案内板などに使用できる。【００３３】  さらに、上述連結することによる効果は、装着する位置を通行する人の目線の高さ又は手摺りの高さ程度として、発光表示体を使用により適宜、治安情報などの注意喚起と、行き先方面の誘導案内などの連続する案内板に使用でき、なお、目の障害者向けに、手が届く位置に衝突緩衝ガード体を貼設して、点字による案内メッセージを付したシールテープをその表面に附設して誘導案内手摺りとし、その案内点字を手でなぞって行くことで、通路位置の情報とその誘導する行き先案内板とし、また特に目の障害者向けには、上記発光表示体に音声案内を付加すれば、より効果的な案内機能が付加でき、衝突緩衝ガード体に加える物により他の用途の付加機能も得られる。【００３４】  加えて、その延長した衝突緩衝ガード体に、上記発光表示体を使用する衝突緩衝ガードとするとき、その発光表示体同士を繋ぐリード線を連結部材の中空部に挿通して各連結し、その発光表示体同士の制御が可能となると共にＬＥＤとその駆動回路及び制御回路を有する汎用の発光装置の配線を挿通する各発光装置の組み込み作業が容易に行え、その発光装置の発光により、通行帯の治安情報などの注意喚起と行き先方面の誘導案内板などにより効果的に使用できる。【００３５】  なお、衝突緩衝ガードにおけるデザイン性の課題解決として、幼稚園などの情操教育などに対応して教育に寄与できるデザイン、または公共の場の治安情報、避難誘導表現などに対応した注意喚起に寄与できるデザイン、または一般家庭で使用する場合のインテリアの一つとしてのデザインを容易に変更付与でき、よって、衝突緩衝機能に加え、メッセージ性における注意喚起主体と、装飾性におけるデザイン主体の表現性の機能をそれぞれ容易に変更付加でき、そのデザイン等変更に要する容易さとコストの改善を両立することから本願発明は、実用上著大な効果を奏する。
【図面の簡単な説明】
【００３６】
【図１】  本発明の衝突緩衝ガード体１の斜視図である。
【図２】  衝突緩衝ガード体１の他の実施例の衝突緩衝ガード体１ａの側面図である。
【図３】  衝突緩衝ガード体１ａの他の実施例の衝突緩衝ガード体１ａａ，１ａｂをテーブル等天板端部１０，１０ａの板厚（ａ）、板厚（ｂ）に貼設した状態を示す要部の側面図である。
【図４】  衝突緩衝ガード体１ａの他の実施例の衝突緩衝ガード体１ａａ，１ａｂを柱１１の角部及び平面部に配置した状態を示す平面図である。
【図５】  本発明の衝突緩衝ガード体１ａａを壁面１２の角部に使用した状態を示す要部の正面図である。
【図６】  本発明の衝突緩衝ガード体１ａａ，１ａｂをＨ鋼の柱１１ａに使用した状態を示す平面図である。
【図７】  本発明の衝突緩衝ガード体１ａａ，１ａｂをＨ鋼の柱１１ａに使用した状態を示す斜視図である。
【図８】  本発明の屈曲可能な衝突緩衝ガード体１ｂの側面図である。
【図９】  本発明の屈曲可能な衝突緩衝ガード体１ｂを手摺り１４に覆うように使用した状態を示す側面図である。
【図１０】  本発明の屈曲可能な他の衝突緩衝ガード体１ｂａの側面図である。
【図１１】  本発明の屈曲可能な他の衝突緩衝ガード体１ｂａでポール、柱など円柱１４を覆って使用した状態を示す平面図である。
【図１２】  本発明のＬ字形状の衝突緩衝ガード体１ｃの斜視図である。
【図１３】  本発明のＬ字形の状衝突緩衝ガード体１ｃを柱１１の角部に使用した状態を示す平面図である。
【図１４】  衝突緩衝ガード体１ｃの他の実施例の状衝突緩衝ガード体１ｃａの平面図である。
【図１５】  本発明のコの字形の状衝突緩衝ガード体１ｄを自動ドア１７など板状部の端部に使用した状態を示す平面図である。
【図１６】  本発明のコの字形状衝突緩衝ガード体１ｄを自動ドア１７など板状部の端部に使用した状態を示す要部の正面図である。
【図１７】  本発明のＴ字形状の衝突緩衝ガード体１ｅをＨ鋼の梁１８の板状部の端部に使用した状態を示す側面図である。
【図１８】  衝突緩衝ガード体１ｅの他の実施例の衝突緩衝ガード体１ｅａをＨ鋼の梁１８の板状部の端部に使用した状態を示す側面図である。
【図１９】  本発明の発光表示体１９の各部配置を示す要部の正面図である。
【図２０】  本発明の表示体６の一例の表現（ａ）、表現（ｂ）を示す正面図である。
【図２１】  本発明の一使用例の衝突緩衝ガード体１ａを通路等壁面１２に連結配置した正面図である。
【図２２】  本発明の図２１の矢視Ａ―Ａ線断面図である。
【発明を実施するための形態】
【００３７】  第１の実施例として、表示体を内設可能とした衝突緩衝ガード体は、テーブルなど天板、柱、壁などの被装着体に、人が接触や衝突の衝撃による怪我の防止及び軽減、または自動車の接触や衝突による損傷を最小限に止める緩衝機能に加え、注意喚起文字を表示して予防の目的に注意喚起を即す機能と、幼稚園等の柱、ドア、扉などの角部にパンダなどキャラクターでそのクラス別のキャラクターを表示することで、組別の表示で利便性を図ると共に情操教育に対応させ、または駅の柱又は通路の壁面などに、案内文字を表示させて案内表示板とし、その注意喚起と装飾及び案内機能を併せ持たせると言う目的を、
衝突緩衝ガード体の緩衝部と装着部との間に中空の緩衝収納部を設けると共に該中空に、注意喚起文字又は飾りを表示する表示体を内設して被装着体に貼設することで実現させた。
【００３８】また、上述記載の目的に加え、より大きな接触や衝突に対応させて、より緩衝することと、注意喚起文字又は飾りの表示体をより鮮明に表示させて注意喚起と装飾性をより高めると言う目的を、
緩衝収納部の装着部側から突設した緩衝支持突起部を中空の緩衝収納部に形成したことと、その緩衝支持突起部の先端と表面側の緩衝部との間の隙間を表示体の支持収納部とし、透明の緩衝部近傍でその表示体を支持することで実現させた。
【００３９】また、第２の実施例の衝突緩衝ガード体は、上述記載の目的に加え、衝突緩衝ガード体を屈曲変形させて、机、テーブルの天板、梁、柱、壁、多角柱の角部及びポール、円柱の曲面のあらゆる貼設部形状の被装着体に対応させて貼設すると言う目的を、
装着部の長手方向に複数箇所Ｖ字状に切り欠いた屈曲切欠部を形成し、または屈曲可能な軟質の薄板状とする装着部で実現させた。
【００４０】    また、第３の実施例の衝突緩衝ガード体は、上述記載の目的に加え、テーブルなど天板、柱、壁、梁などの被装着体の角部に脱落せずに安定して容易に貼設させ、特に衝突すると危険度の大きい角部の衝突による怪我の抑制を図ると言う目的を、
横断端面が略Ｌ字形状となるように、衝突緩衝ガード体を形成して被装着体のテーブルなど天板、柱、壁、梁などの角部に合わせて貼設することで実現させた。
【００４１】  また、第４の実施例の衝突緩衝ガード体は、上述記載の目的に加え、扉、自動ドアの指詰めによる怪我防止と、テーブルなど天板の板状体の端部に装飾デザインした表示体を装着して、透明の緩衝部を介してテーブルなど天板の板状体の端部を装飾すると言う目的を、
横断端面が略コの字形状となるように、衝突緩衝ガード体を形成して、被装着体のテーブルなど天板、自動ドア、アングル又はＨ鋼のなど板状体の端部に狭持するように貼設することで実現させた。
【００４２】  また、第５の実施例の衝突緩衝ガード体は、上述記載の目的に加え、表示体を比較的見えやすくすることで、目線より上にある建築工事現場の梁などに頭部の接触や衝突を避ける注意喚起を見えやすくすることと、それによる怪我の防止及びその軽減を図ると言う目的を、
横断端面が略Ｔ字形状となるように、衝突緩衝ガード体を形成して被装着体の柱、壁、梁又はＨ鋼などの角部近傍に貼設すると共に透明の緩衝部を介して表示体が正面になるように透明の緩衝部を配置して貼設することで実現させた。
【００４３】  また、第６の実施例の衝突緩衝ガード体は、上述記載の目的に加え、通路案内板、避難誘導案内板などの案内文字又は図形を発光、点滅の動きを付加して表示機能を高め、そのことで見えてはいるが視力が弱っている老人などでも見えやすく注意喚起してより安全性を確保し、特に薄明かりの地下駐車場では車のライトで反射発光させ、また発光表示体に合わせて音声案内を付加してより注意と案内の表示機能を高めると言う目的を、
ＬＥＤ、光反射板を使用した発光表示体により、注意喚起文字または飾りを発光表示させ、または該発光表示体に音声発生装置を附設して音声により案内表示することで実現させた。
【００４４】  また、第７の実施例の表示体は、上述記載の目的に加え、地下通路などの長い壁面に行き先案内表示及びその行き先別ラインなどを表示可能とし、また長い通路を通行する台車が壁面に衝突する可能性のある高さに設定して、壁面にキズが付かないようにすると同時に注意喚起と行き先方面の誘導案内板などに使用すると言う目的を、
緩衝収納部に略対応した形状の中空の連結部材を介して、隣接する衝突緩衝ガード体同士を容易に一直線上に嵌合連結して延長することで実現させた。
【実施例】
【００４５】  本発明の各実施例を図面に基づいて説明すると、先ず、図１に示す第一実施例の衝突緩衝ガード体１は、透明の緩衝部２と粘着部３を設けた装着部４との間に中空の緩衝収納部５を有する略平板状に形成し、該緩衝収納部５の左右端部近傍に、表示体６を収納支持する支持部７，７を形成している。【００４６】  そして、該衝突緩衝ガード体１を、柱、壁、テーブルなどの天板の被装着体に装着して、人又は自動車の接触や衝突の衝撃を緩衝部２と中空の緩衝収納部５で緩衝させることで、人の不注意による接触や衝突の衝撃に対する抑制と万一の怪我の軽減を図り、また自動車の接触や衝突による損傷を最小限に止めるに加え緩衝収納部５内に、後述する図２０に示すような注意喚起文字又は図形などを表す表示体６を収納してその注意喚起の表示により接触や衝突を予防し、さらに上述注意喚起文字に変え、装飾された模様を表示するデザインでテーブルなど天板の端部近傍を飾り、その衝撃の緩衝と、注意喚起のメッセージと、デザイン性の機能を付加して使用する。【００４７】  而して、図２に示す衝突緩衝ガード体１ａは、該衝突緩衝ガード体１の緩衝収納部５に緩衝支持突起部８を形成したもので、該緩衝支持突起部８は、装着部４の略中央部から透明の緩衝部２の近傍までに突設形成し、該緩衝部２と緩衝支持突起部８の先端との所定隙間に表示体６の支持収納部９として形成している。【００４８】  該衝突緩衝ガード体１ａの緩衝支持突起部８は、上述衝突緩衝ガード体１の接触や衝突による衝撃に対する抑制機能をさらに大きくするためと、表示体６を透明の緩衝部２の近傍で支持して注意喚起文字と飾りなどを明瞭に表示するために形成したもので、以後の実施例で、この衝突緩衝ガード体１ａを基本に図示して詳述する。【００４９】  そこで、該衝突緩衝ガード体１ａの使用例を図３から図７に示すと、先ず、図２に示す衝突緩衝ガード体１ａの装着部４の端部に、該装着部４と直角に配置する装着基準片４ａを突設して、図３に示すように衝突緩衝ガード体１ａａ，１ａｂとして形成し、該装着基準片４ａは、図３（ａ）の天板１０の板厚と、図３（ｂ）の天板１０ａの板厚に対応して装着方向が図３（ａ）に示す垂直側又は図３（ｂ）に示す水平側に変更して装着し、それぞれ天板１０，１０ａの端部に貼設している。【００５０】  そして、その上述した貼設方向により、所定位置に容易に安定して貼設させて、衝突すると危険度の大きいその角部の衝突緩衝部材として機能するように設けると共にテーブル等の天板１０，１０ａの端部近傍に貼設する貼設方向をその端部の厚さに対応して適宜変更して、表示体６に装飾を施して飾りとして装飾性を付加している。【００５１】  また、図４に示す使用例は、柱１１の周囲の各角部に衝突緩衝ガード体１ａａ，１ａｂを、平面部には衝突緩衝ガード体１ａをそれぞれ配置して貼設し、また図５に示す、壁面１２の角部には衝突緩衝ガード体１ａａを貼設して、その表示体６に、図示ではパンダのキャラクターを配して装飾している。【００５２】  また、図６及び図７に示す使用例は、一例として駅のホームなどに使用されるＨ鋼の柱１１ａを使用例とし、その柱１１ａの周囲の各角部には衝突緩衝ガード体１ａａ，１ａｂを、平面��には衝突緩衝ガード体１ａをそれぞれ配置して貼設し、そして図７に示すように、衝突緩衝ガード体１ａ，１ａｂの表示体６，６に、図示では「衝突注意」「足下注意」の注意喚起文字を使用する例である。【００５３】  而して、図８に示す第二実施例の衝突緩衝ガード体１ｂは、衝突緩衝ガード体１ａの装着部４に、緩衝支持突起部８に対応する位置に、Ｖ字状に切り欠いた屈曲切欠部１３を該装着部４の長手方向に複数箇所形成して、円柱の曲面の他、テーブルの天板、多角柱の角部など被装着体の外形に対応した形状に変形させて貼設する。
なお、装着部４の屈曲切欠部１３に変えて、装着部４を屈曲可能な軟質と薄板厚に変更して、曲面などに変形して対応できるようにしてもよいが図示は省略した。【００５４】  そして、図９に示すように、衝突緩衝ガード体１ｂの使用例は、手摺り１４に巻き付けるように装着部４の粘着部３を介して貼設し、そのとき屈曲切欠部１３が変形して曲面に沿って該装着部４が粘着部３で貼設され、またポール、円柱の曲面の他、机、テーブルの天板、梁、柱、壁の角部と、あらゆる多角柱の要部形状の被装着体の角部に変形させることで曲面及び角部に対応する。【００５５】  また、他の使用例として図１０に示すように、衝突緩衝ガード体１ｂの両側に突状係止部１５と凹状係止部１６をそれぞれ設け、その突状係止部１５と凹状係止部１６を嵌合させることで筒状の衝突緩衝ガード体１ｂａが形成され、ポールなど棒状のものに突状係止部１５と凹状係止部１６を介して設ける衝突緩衝ガード体１ｂａである。【００５６】  そこで、該衝突緩衝ガード体１ｂａの使用例は、図１１に示すように、手摺り１４に巻き付けるように、装着部４の粘着部３を介して貼設すると共に突状係止部１５と凹状係止部１６でそれぞれ嵌合係止して、該手摺り１４に被着し、またポール、円柱の曲面の他、多角柱の被装着体に被着できる。【００５７】  而して、図１２に示す第三実施例の衝突緩衝ガード体１ｃは、衝突緩衝ガード体１ａ，１ａ同士を直角に突き合わせた状態の形状で形成された横断端面が略Ｌ字形状であって、該衝突緩衝ガード体１ｃの表面側に緩衝部２とその内面側に粘着する粘着部３を設けた装着部４をそれぞれ配置して、柱などの角部に対応して貼設使用する。【００５８】  そこで該衝突緩衝ガード体１ｃの使用例は、図１３に示すように柱１１の角部に、装着部４の粘着部３を介してその角部の形状に合わせて貼設することで、脱落せずに安定して容易に貼設でき、特に、衝突すると危険度の高い角部の衝突による怪我の抑制が図れ、またテーブルの角部などでは、表示体６に飾りを表示してデザイン性を高め、さらに幼稚園等の柱などの角部にパンダなどキャラクターでそのクラス別のキャラクターを表示することで、情操教育に対応させる装飾を付加できる。【００５９】  また、他の実施例として図１４に示すように、衝突緩衝ガード体１ｃの緩衝部２と緩衝支持突起部８の先端との所定隙間の支持収納部９を該衝突緩衝ガード体１ｃの角部にも形成して、表示体６が、該衝突緩衝ガード体１ｃの表側全面で表示でき、より多くの表示により視認性が高まり、注意喚起と装飾性と案内表示に使用するとしている。【００６０】  而して、図１５に示す第四実施例の衝突緩衝ガード体１ｄは、横断端面が略コの字形状であって、該衝突緩衝ガード体１ｄの表面側を緩衝部２とすると共に略コの字形状の内面側に粘着する粘着部３を設けた装着部４をそれぞれ配置して形成され、自動ドアなど板状部の端部に狭持して貼設して使用する。【００６１】  そして、該衝突緩衝ガード体１ｄの使用例は、図１５及び図１６に示すように、自動ドア１７の板状部の端部に、装着部４の粘着部３を介して狭持して貼設し、図１６に示すように衝突緩衝ガード体１ｄに内設した表示体６に、図示では「指詰め注意」の注意喚起��字を配して、自動ドア１７の指詰めの注意を促すと共に指詰めしたときの緩衝ガードとしている。【００６２】  而して、図１７に示す第五実施例の衝突緩衝ガード体１ｅは、横断端面が略Ｔ字形状であって、該衝突緩衝ガード体１ｅの装着部４に対して、緩衝部６を略直角乃至若干下方に傾斜した状態で該装着部４の一方面に粘着部３を設けて、該粘着部３を介して建築現場の梁１８などのＨ鋼の板状部の端部に貼設する。【００６３】  そして、該衝突緩衝ガード体１ｅの使用例は、図１７に示すように、建築現場の梁１８などに使用されるＨ鋼の板状部の端部に、装着部４の粘着部３を介して貼設し、緩衝部６が若干下方に傾斜した状態の追突方向から正面に位置し、よって衝突緩衝ガード体１ｅに内設した表示体６の注意喚起文字が正面となり、よく見えることで目線より上にある建築工事現場の梁１８に頭部の接触や衝突を避ける注意喚起と共にその軽減が図れる。【００６４】  なお、他の実施例として衝突緩衝ガード体１ｅａは、衝突緩衝ガード体１ｅの装着部４が板状で一方面に粘着部３を設けているのに対して、図１８に示すように、装着部４ａの横断端面が略コの字形状に形成すると共にその略コの字形状の内面側に粘着部３を設けて、該粘着部３を有する装着部４ａで梁１８などのＨ鋼の板状部の端部を狭持するように貼設して、上述衝突緩衝ガード体１ｅと同様使用される。【００６５】  而して、図１９に示す第六実施例の発光表示体１９は、所定数のＬＥＤ２０，２０，…とその駆動回路２１及び制御回路２２を有する汎用の発光装置２３により、図２０に示すような注意喚起文字２３ａまたは案内表示２３ｂの文字や図形を、ＬＥＤ２０，２０，…により発光表示させ、さらに点滅等の動きを付加して表示機能を高めて表示させる。【００６６】  そして、該発光表示体１９の使用例は、各衝突緩衝ガード体の中空の緩衝収納部５または支持収納部９に、発光表示体１９の発光装置２３を内設して上述した構成で発光表示させ、さらに該発光装置２３に変えて、地下駐車場などにおける薄明かりにあっては、車のライトの光により反射発光する光反射板とし、さらに停電時における発光表示に蛍光により発光する蛍光板として、地下通路など公共施設に設置する通路案内板、避難誘導案内板などの案内文字又は図形などをより注意喚起又は案内表示として、より効果的に表示機能を高めて使用し、さらにこの発光表示体１９の発光装置２３と反射発光と蛍光発光をそれぞれ組合せして相互に変更して使用してもよいが、図示は省略した。【００６７】  また、上述した発光表示の発光表示体１９に、スピーカーとその駆動及び制御回路を有する音声発生装置を設けることで、発光表示と音声案内により注意喚起と音声案内機能を高めると共に衝突緩衝機能、怪我の抑制機能、注意喚起機能、装飾機能を有する衝突緩衝ガード体が得られるが、図示は省略した。【００６８】  而して、図２１及び図２２に示す第七実施例の衝突緩衝ガード体１ａの連結部材２４は、緩衝収納部５に略対応した形状の中空の連結部材２４で、隣接する衝突緩衝ガード体１ａ同士を嵌合連結する。【００６９】  そして、該連結部材２４の使用例は、図２１及び図２２に示すように、隣接する衝突緩衝ガード体１ａ同士を一直線���に嵌合連結し、その嵌合連結が、緩衝収納部５に略対応した形状により容易に連結して衝突緩衝ガード体１ａを延長することができ、また連結部材２４が中空であるから、上述ＬＥＤ２０，２０，…とその駆動回路２１及び制御回路２２を有する汎用の発光装置２３の配線を、連結する各衝突緩衝ガード体１ａ間を中空の連結部材２４を介して挿通することができ、各発光装置２３の組み込み作業が容易に行える。【００７０】  また、衝突緩衝ガード体１ａを延長することができることから、地下通路などの長い壁面１２に行き先案内表示及びその行き先別ラインなどで表示し、そして例えば、通路を通行する台車が壁面１２に衝突する可能性のある高さに設定して、壁面１２にキズが付かないようにすると同時に注意喚起と行き先方面の誘導案内板などに使用でき、よって必要に応じて連結使用するときその使用高さを設定して使用する。
なお、連結部材２４の使用例を衝突緩衝ガード体１ａとしているが、他の各衝突緩衝ガード体としてもよいが図示は省略した。【００７１】  なお、各衝突緩衝ガード体の中空の緩衝収納部５を有する緩衝部２と装着部４を必ずしも一体として衝突緩衝ガード体を形成する必要が無く、緩衝部５と装着部４を個別に形成し、その双方を合わせ結合させると共にその間に中空の緩衝収納部５を形成した衝突緩衝ガード体としてもよいが図示は省略した。【００７２】  さらに、目の障害者向けに、点字による案内メッセージを付したシールテープなどを各衝突緩衝ガード体の表面に貼設させて、延伸する衝突緩衝ガード体に沿って手でなぞって行くことで通路等の誘導及び行き先案内板としてもよいが図示は省略した。
【産業上の利用可能性】
【００７３】    本発明は、人又は自動車の接触や衝突を緩衝すると共にその注意喚起と案内表示及び飾りを付加できる衝突緩衝ガードに使用できる。
【符号の説明】
【００７４】  １，１ａ，１ａａ，１ａｂ，１ｂ，１ｂａ，１ｃ，１ｃａ，１ｄ，１ｅ，１ｅａ，  衝突緩衝ガード体
２    緩衝部
３    粘着部
４，４ａ    装着部
５    緩衝収納部
６    表示体
８    緩衝支持突起部
９    支持収納部
１３    屈曲切欠部
１７    自動ドア
１９    発光表示体
２０    ＬＥＤ
２１    駆動回路
２２    制御回路
２３    発光装置
２４    連結部材。
【図１】
0006191827.tif 000002
【図２】
0006191827.tif 000003
【図３】
0006191827.tif 000004
【図４】
0006191827.tif 000005
【図５】
0006191827.tif 000006
【図６】
0006191827.tif 000007
【図７】
0006191827.tif 000008
【図８】
0006191827.tif 000009
【図９】
0006191827.tif 000010
【図１０】
0006191827.tif 000011
【図１１】
0006191827.tif 000012
【図１２】
0006191827.tif 000013
【図１３】
0006191827.tif 000014
【図１４】
0006191827.tif 000015
【図１５】
0006191827.tif 000016
【図１６】
0006191827.tif 000017
【図１７】
0006191827.tif 000018
【図１８】
0006191827.tif 000019
【図１９】
0006191827.tif 000020
【図２０】
0006191827.tif 000021
【図２１】
0006191827.tif 000022
【図２２】
0006191827.tif 000023